(57)【要約】      （修正有）【課題】注出後の内溶液を指で直接触れることなく塗布範囲を広げることを可能であり、更には被塗布面に適度な刺激を与えられる塗布栓容器を提供すること。【解決手段】内容液が充填された容器本体２と、該容器本体２の口筒部４に嵌入する嵌入筒の底壁を介して起立するバネ片２３により閉塞方向に付勢される弁部２４を有する栓体２０と、該栓体２０に組み付き、上面に突起片３３を設けた突起片部材３０と、該突起片部材３０の上方に、該バネ片２３の付勢力に抗する表面の押し込みにより該突起片３３の先端部分が突出する塗布体部材４０と、を備えることを特徴とする塗布栓容器。【選択図】図１
2016210427.tif 000002
【特許請求の範囲】
【請求項１】
内容液が充填された容器本体（２）と、
該容器本体（２）の口筒部（４）に嵌入する嵌入筒（２１）の底壁（２２）を介して起立するバネ片（２３）により閉塞方向に付勢される弁部（２４）を有する栓体（２０）と、
該栓体（２０）に組み付き、上面に突起片（３３）を設けた突起片部材（３０）と、
該突起片部材（３０）の上方に、該バネ片（２３）の付勢力に抗する表面の押し込みにより該突起片（３３）の先端部分が突出する塗布体部材（４０）と、
を備えることを特徴とする塗布栓容器。
【請求項２】
前記弁部（２４）の上部に、前記バネ片（２３）の付勢力により常に前記塗布体部材（４０）の裏面を圧接する突出部（２５）が設けられている請求項１に記載の塗布栓容器。
【請求項３】
前記突起片（３３）が、同心円状に配置されている請求項１又は２に記載の塗布栓容器。
【請求項４】
前記突起片（３３）の高さが、中心から外方に向かい徐々に低くなる請求項１〜３のいずれかに記載の塗布栓容器。
【発明の詳細な説明】
【技術分野】
【０００１】
本発明は、薬液などの内容液を注出しながら皮膚などの被塗布面に適度な刺激を与えつつ塗布する塗布栓容器に関する。
【背景技術】
【０００２】
ノズル部状の注出筒の先端に注出孔が穿設され、押込み形の弁体を介して注出孔を開閉することにより、容器本体内に充填されている薬液等の内容液を所要の場所（患部等）に適量塗布するための塗布容器が開発されている。
【０００３】
特許文献１は、このような従来の塗布容器の一例として、薬液用の塗布容器を示すものであり、同文献に記載されているように、容器を倒立させ、中栓本体の先端に設けられる注出筒を所要の場所に押し当てて注出孔を開状態とすることにより、容器内の内容液を注出孔から所要の場所に注出して塗布することが可能となっている。
【０００４】
しかし、特許文献１に記載の塗布容器では、所要の場所が点在しているような場合には、注出した薬液の塗布範囲を広げることが必要となるが、薬液を所要の場所に適切に導くために、指で薬液を擦りながら延ばしている。このように、指が患部に触れることの衛生上観点や薬液付着によるベタツキ感及び揮発性が促進され易くなるという課題がある。他方、塗布容器の塗布部にスポンジ部材を用いて塗布することも行われているが、例えば、薬液が育毛剤の場合には、スポンジ部材により被塗布面に塗布後、櫛状の別部材にて刺激を与えて効能効果を有効的に付与させていた。このように今までは、塗布する容器本体と刺激を与える別部材が必要であったため、保管性や携行性を向上させた塗布容器の要求が高まっていた。
【先行技術文献】
【特許文献】
【０００５】
【特許文献１】実開平６−５４５５７号公報
【発明の概要】
【発明が解決しようとする課題】
【０００６】
本発明の目的は、上記課題を解決することであり、薬液等の内溶液を注出させて塗布する塗布容器において、注出後の内溶液を手で直接触れることなく塗布範囲を広げることを可能であり、更には、被塗布面に適度な刺激を与えられる塗布栓容器を提供することである。
【課題を解決するための手段】
【０００７】
上記課題の解決手段として、本発明に係る塗布栓容器は、
内容液が充填された容器本体と、
該容器本体の口筒部に嵌入する嵌入筒の底壁を介して起立するバネ片により閉塞方向に付勢される弁部を有する栓体と、
該栓体に組み付き、上面に突起片を設けた突起片部材と、
該突起片部材の上方に、該バネ片の付勢力に抗する表面の押し込みにより該突起片の先端部分が突出する塗布体部材と、
を備えることを特徴とする。
【０００８】
また、本発明に係る別の塗布栓容器において、弁部の上部に、バネ片の付勢力により常に塗布体部材の裏面を圧接する突出部が設けられている。
【０００９】
更に、本発明に係る別の塗布栓容器において、突起片が同心円状に配置されている。
【００１０】
また更に、本発明に係る別の塗布栓容器において、突起片の高さが、中心から外方に向かい徐々に低くなる。
【発明の効果】
【００１１】
本発明の上記した構成においては、以下に示す効果を奏する。
本発明では、注出後の内溶液を直接触れることなく塗布面を延ばせられ、塗布体部材の表面から突起片の先端部分が突出しているため、被塗布面に適度な刺激を与えることができ、内容液の効能効果を感じさせることができる。
【００１２】
また、本発明では、突起部によりバネ片の付勢力により常に塗布体部材の裏面を圧接しているため、塗布栓容器が必要以上に強く押し込まれた際に、塗布体部材の表面から突起片が突出し過ぎ、過度の刺激が加わることを抑制できる。
【００１３】
更に、本発明では、突起片が同心円状に配置されているため、被塗布面に押し付け内容液を延ばした際に刺激を効率的に与えることが可能である。
【００１４】
また更に、本発明では、突起片の高さが中心から外方に向かい徐々に低くなるっているため、被塗布面が曲面状であっても塗布体部材が押し潰され易い中心に近く、高さのある内側の突起片は刺激を与えることができる。
【図面の簡単な説明】
【００１５】
【図１】本発明に係る塗布栓容器の実施形態における左半分が正面図、右半分が半縦断面図である。
【図２】（ａ）が塗布中栓の縦断面図であり、（ｂ）が突起片部材の上面図である。
【図３】第１の実施形態の塗布容器の使用例として、被塗布面への塗布の様子を示す説明図である。
【発明を実施するための形態】
【００１６】
以下、本発明にかかる実施の形態について図面を参照しつつ説明する。
【００１７】
図１が本発明に係る塗布栓容器の実施形態における左半分が正面図、右半分が半縦断面図であり、図２（ａ）が塗布中栓の縦断面図であり、図２（ｂ）が突起片部材の突起片配置を示す上面図であり、図３が第１の実施形態の塗布容器の使用例として、被塗布面への塗布の様子を示す説明図である。
【００１８】
塗布栓容器１は、薬液（以下、内容液という）を皮膚や頭皮などの所要の被塗布面（患部）Ｐに適量塗布するための容器であり、内容液が充填される有底円筒形状からなる容器本体２と、この容器本体２の口筒部４内に嵌入する塗布中栓１０と、塗布中栓１０が組み付けられた容器本体２の上部を被嵌して上部を覆うように組み付けられるキャップ６とを有して構成される。なお、各構成品のそれぞれの中心軸は、共通軸上に位置しており本実施形態では、この共通軸を容器軸Ｏと云う。
【００１９】
容器本体２は、図１に示すように筒状の胴部３と、胴部３の上部に設けられた口筒部４を起立連設して構成され、その口筒部４の外周面には雄ネジ５が一体に周設されている。キャップ６は、有頂円筒形状に形成されており、キャップ下部７側の内周面には容器本体２側の雄ネジ５に螺合する雌ネジ８が刻設されており、容器本体２に着脱自在に螺着される。
【００２０】
塗布中栓１０は、口筒部４内に嵌入する栓体２０と、この栓体２０に組み付き、上面に突起片３３を有する突起片部材３０と、被塗布面Ｐに内容液を塗布するための塗布体部材４０と、この塗布体部材４０を突起片部材３０との間に挟持させる押さえ部材５０とを有して構成される。
【００２１】
栓体２０は、嵌入筒２１により口筒部４内面に嵌入接着しており、嵌入筒２１の下端部で底壁２２を連設している。底壁２２の内面端部には円リング状の内周壁２２ａが起立設しており、内周壁２２ａから上方に向かうにしたがって縮径しつつ容器軸Ｏの回りで螺旋状に延在するバネ片２３が形成されている。なお、バネ片２３は、内周壁２２ａから起立していなくてもよいし、底壁２２から直接起立させてもよいし、又はバネ片２３を別体とし、底壁２２や内周壁２２ａに係合させてもよい。バネ片２３の上部にはテーパー状の弁部２４と、この弁部２４の上部に突出部２５とを備える。突出部２５の外周面には、複数の縦溝２６が刻設されている。嵌入筒２１の上端部には外鍔状のフランジ部２７が設けられ、口筒部４に対する嵌入限を設定することができる。フランジ部２７の上面には、超音波溶着の際に溶着部（エネルギーダイレクター）となる突部２８が突設されている。
【００２２】
突起片部材３０は、有頂筒状で上面に頂壁３２を有し、頂壁３２の縁端部から嵌入筒２１内面に組み付く組付部３１を垂下設している。頂壁３２の上面には、突起片３３が突設され、周方向に延びる突起片３３の列が同心円状をなすように２列配置されている（図２（ｂ）参照）。突起片３３は、他の部材である栓体２０や押さえ部材５０よりも軟質の材料で形成されていることが好ましい。突起片３３を軟質材料で形成することで、被塗布面Ｐに対して過度の刺激が加わることを抑制できる。突起片３３の形状としては、針状の円錐形状や三角錐形状等が挙げられる。突起片３３の高さは、中心（容器軸Ｏ）から外方に向かい徐々に低くなっているため、被塗布面Ｐが曲面状であっても塗布体部材３０が押し潰され易い中心に近く、高さのある内側の突起片３３は刺激を与えることができる。そして頂壁３２の中央部付近は、栓体２０の突出部２５より大きな開口部３５が設けられており、塗布栓容器１の不使用時には栓体２０のバネ片２３によって付勢させた弁部２４と開口縁部３５ａが密接することでシール性を保持することができる。頂壁３２の外縁部には、上部周壁３４が起立設しており、塗布体部材４０を乗せる足場となる。
【００２３】
塗布体部材４０は、被塗布面Ｐに塗布する際に内容液を含浸し、塗布体部材４０の周縁部まで内容液を行き渡らせることができる多孔質部材、好ましくはスポンジにて形成されている。多孔質部材で形成されていることにより、塗布体部材４０は内容液の吸放出性及び保持性に優れ、塗布作業を容易に行える。塗布体部材４０は、多数の細孔を有するウレタンやポリエチレン等の合成樹脂の発泡体（スポンジ）を使用して透過性の円板に形成される。
【００２４】
押さえ部材５０は、塗布体部材４０の周縁部を上部周壁３４との間に挟み込み係合させている。更に本実施形態では、超音波溶着を用いてフランジ部２７の上面の突部２８を溶着させて、押さえ部材５０と栓体２０を密に係合させている。なお、押さえ部材５０の係合が強固な構成であれば、超音波溶着を行わなくても構わない。
【００２５】
次に、以上のような構成の塗布栓容器１の実施形態について説明する。
図１に示されるように、塗布栓容器１の不使用時には、栓体２０のバネ片２３によって常に付勢された弁部２４が開口縁部３５ａと密接することで閉塞状態を維持してシール性を高め、液漏れを効果的に防止している。この時、バネ片２３の付勢力によって突出部２５が常にスポンジ部材４０の裏面を圧接して押し上げているため、突起片３３はスポンジ部材４０内に収まっている。
【００２６】
使用時には図３に示すように、キャップ６を取り外した状態の塗布栓容器１を倒立状態に設定し、スポンジ部材４０の表面を皮膚や頭皮等の所定の場所（患部）である被塗布面Ｐに当接させ、図３の白抜き矢印の容器軸Ｏの方向に押し付ける。
【００２７】
この押し付け操作によって、突出部２５が栓体２０のバネ片２３の付勢力に抗して容器本体２の内部方向に押し込まれ、弁部２４が開口縁部３５ａから離間して開状態となり、突出部２５の外周面の縦溝２６と開口縁部３５ａの隙間に、容器本体２と連通する液通路が形成される。これにより、内容液は、容器本体２から縦溝２６を介してスポンジ部材４０に至り、スポンジ部材４０から滲出して被塗布面Ｐに塗布される。
【００２８】
これと同時に、押し付け操作によって被塗布面Ｐに当接したスポンジ部材４０では、表面が押し込まれたスポンジ部材４０の厚みが薄くなり、突起片３３がスポンジ部材４０を貫通して突起片３３の先端がスポンジ部材４０の表面から突出した状態となる。この突出した突起片３３の先端部分が、被塗布面Ｐに適度な刺激を与えることによって、内容液の効能効果を感じさせる。なお、本実施形態における押し付け操作としては、被塗布面Ｐをポンポンと叩くようにして局部的に刺激を与えたり、被塗布面Ｐに擦り付けるようにして全面的に刺激を与えることができる。
【００２９】
スポンジ部材４０の中央部は、突出部２５によりバネ片２３の付勢力により常に裏面から圧接されているため、塗布栓容器１が必要以上に強く押し込まれた際に、スポンジ部材４０の表面が窪んで突起片３３が突出し過ぎ、被塗布面Ｐに対して過度の刺激が加わることを抑制できる。
【００３０】
以上、実施形態に沿って本発明の構成とその作用効果について説明したが、本発明の実施の形態は上記実施形態に限定されるものではない。
【００３１】
上記実施形態では、塗布体部材４０としてスポンジの構成を説明したが、突起片３３が貫通可能な多孔性物質で形成されたものであり、孔を介して内容液を吐出するとともに、表面で内容液を延ばすことができる構成であれば構わない。また、突起片３３の配置、その突起長さや形状は、使用目的に応じて適宜変更することが可能である。
【産業上の利用可能性】
【００３２】
以上説明したように、本発明の塗布栓容器は、内容液の効能を有効に発揮させることができるため塗布容器の分野における用途展開を更に広い領域で図ることができる。
【符号の説明】
【００３３】
１    ；塗布栓容器
２    ；容器本体
３    ；胴部
４    ；口筒部
５    ；雄ネジ
６    ；キャップ
７    ；キャップ下部
８    ；雌ネジ
１０  ；塗布中栓
２０  ；栓体
２１  ；嵌入筒
２２  ；底壁
２２ａ；内周壁
２３  ；バネ片
２４  ；弁部
２５  ；突出部
２６  ；縦溝
２７  ；フランジ部
２８  ；突部
３０  ；突起片部材
３１  ；組付部
３２  ；頂壁
３３  ；突起片
３４  ；上部周壁
３５  ；開口部
３５ａ；開口縁部
４０  ；塗布体部材（スポンジ部材）
５０  ；押さえ部材
Ｏ    ；容器軸
Ｐ    ；被塗布面
【図１】
2016210427.tif 000003
【図２】
2016210427.tif 000004
【図３】
2016210427.tif 000005